(57)【特許請求の範囲】
【請求項１】
透明なカバーガラスを嵌着したケースと、該ケースに内蔵されたムーブメントと、前記カバーガラスの下面に配設された透光性の表示板と、該表示板からの外光を受光面に受けて発電するソーラセルと、前記ケースの内周面側でカバーガラスの下面に配設された見返しリングを備えた太陽電池式時計において、前記見返しリングは透光性のリングで、前記表示板は見返しリングと当接する接触部は高透過率を有することを特徴とする太陽電池式時計。
【請求項２】
前記見返しリングは、その見返し面（採光面）を凸面又は凹面形状に形成し、外光からの受光面積を大きくしたことを特徴とする請求項１記載の太陽電池式時計。
【請求項３】
前記見返しリングは、前記ソーラセルと接する下面を粗面化して光放射面を形成したことを特徴とする請求項１又は２記載の太陽電池式時計。
【請求項４】
前記見返しリングは、前記下面を除く全ての表面を鏡面化し光反射面を形成したことを特徴とする請求項１〜３のいずれか記載の太陽電池式時計。
【請求項５】
前記見返しリングは、前記見返し面及び下面を除く外形鏡面に反射膜を形成したことを特徴とする請求項１〜４のいずれか記載の太陽電池式時計。
【請求項６】
前記表示板は、見返しリングと当接する接触部を除く部分にカラー着色、模様、マーク、指標等の装飾を施し、ソーラセルの色調や分割線を見え難くしたことを特徴とする請求項１記載の太陽電池式時計。
【発明の詳細な説明】
【０００１】
【発明の属する技術分野】
本発明は、太陽電池付機器に係わり、特に、腕時計の様に表示部と太陽電池とを備えた太陽電池式時計に関する。
【０００２】
【従来の技術】
従来から、太陽電池（ソーラセル）を内蔵することによってソーラセルの発電により動作するように構成された各種の電子機器が用いられている。例えば、ソーラセルを内蔵した太陽電池式時計がある。この腕時計は、ソーラセルの受光面積を十分に確保するために、表示板が配置された表面にソーラセルの受光面を配置したものが多い。
【０００３】
図４は、従来のソーラセルを備えた太陽電池式時計の要部断面図である。太陽電池式時計１１は、時計ケース１の上面に嵌着されたカバーガラス２と、カバーガラス２の下面に透光性の表示板３と、ケース１の内周面側でカバーガラス２の下面に斜面形状をした見返し面４ａを有し表示板３の外周部を押さえる透過性でない見返しリング４と、前記透光性の表示板３の下面にソーラセル５と、前記ケース１の内部に保持枠（固定部材）６を介して取り付けられるムーブメント７と、前記表示板３とカバーガラス２との間でムーブメント７から突出した指針取付軸８に取着された指針９と裏蓋１０から構成されている。
【０００４】
前記ソーラセル５は、通常の表示板面積で透過率が３０％以上得られれば十分満足する発電量が得られると言われている。このソーラセル５は濃紫色を呈しており、この色調は表示板の外観を暗くさせる。
【０００５】
【発明が解決しようとする課題】
しかしながら、上記した構造に有っては、ソーラセル用の表示板はソーラセルが表示板の下側に設けられているため、光の透過率を上げるとソーラセルの独特の濃紫色や分割線が表示板を通して見えてしまい時計の外観イメージを著しく低下させる。逆に透過率を落として濃紫色や分割線が見え難くするとソーラセルの発電量が不十分になるおそれがある。
【０００６】
そこで、ソーラセルの濃紫色による違和感を少なくし、ソーラセルの十分な発電量が確保できる太陽電池式時計の出現が課題になる。
【０００７】
本発明は上記従来の課題に鑑みなされたものであり、十分な発電量が確保でき、ソーラセルの濃紫色が目立たない太陽電池式時計を提供するものである。
【０００８】
【課題を解決するための手段】
上記目的を達成するために、本発明における太陽電池式時計は、透明なカバーガラスを嵌着したケースと、該ケースに内蔵されたムーブメントと、前記カバーガラスの下面に配設された透光性の表示板と、該表示板からの外光を受光面に受けて発電するソーラセルと、前記ケースの内周面側でカバーガラスの下面に配設された見返しリングを備えた太陽電池式時計において、前記見返しリングは透光性のリングで、前記表示板は見返しリングと当接する接触部は高透過率を有することを特徴とするものである。
【０００９】
また、前記見返しリングは、その見返し面（採光面）を凸面又は凹面形状に形成し、外光からの受光面積を大きくしたことを特徴とするものである。
【００１０】
また、前記見返しリングは、前記ソーラセルと接する下面を粗面化し光放射面を形成したことを特徴とするものである。
【００１１】
また、前記見返しリングは、前記下面を除く全ての表面を鏡面化し光反射面を形成したことを特徴とするものである。
【００１２】
また、前記見返しリングは、前記見返し面及び下面を除く外形鏡面に反射膜を形成したことを特徴とするものである。
【００１３】
また、前記表示板は、見返しリングと当接する染色部を除く部分にカラー着色、模様、マーク、指標等の装飾を施し、ソーラセルの色調や分割線を見え難くしたことを特徴とするものである。
【００１４】
【発明の実施の形態】
以下図面に基づいて本発明における太陽電池式時計について説明する。図１〜図３は本発明の実施の形態に係わり、図１は、太陽電池式時計の要部断面図、図２及び図３は、見返しリングの断面図である。従来技術と同一部材は同一符号で示す。
【００１５】
図１において、太陽電池式時計２０は、時計ケース１の上面に嵌着されたカバーガラス２と、カバーガラス２の下面に透光性を有する表示板２１と、ケース１の内周面側でカバーガラス２の下面に斜面形状をした見返し面２２ａを有し表示板２１の外周部を押さえる透光性の樹脂からなる見返しリング２２と、透光性の表示板２１は見返しリング２２と当接する接触部は特に透過率を高くしておく。前記透光性の表示板２１の下面にソーラセル５と、前記ケース１の内部に保持枠（固定部材）６を介して取り付けられるムーブメント７と、前記表示板２１とカバーガラス２との間でムーブメント７から突出した指針取付軸８に取着された指針９と裏蓋１０から構成されている。
【００１６】
前記表示板２１が導光板の機能を有するものである。また、前記表示板２１は、見返しリング２２と当接する接触部を除く部分に透光率及びソーラセルの発電に支障のない範囲でカラー着色、模様、マーク、指標等の装飾を施して表示板２１の装飾性を高めたりデザインバリエーションを増すことができる。このことは、ソーラセル独特の濃紫色の色調や分割線を見え難くすることで有効である。見た目に違和感を感じさせない色調に仕立てるものである。
【００１７】
図２及び図３において、見返しリング２２は、その見返し面（採光面）２２ｄは凸面形状（図２）、２２ｅは凹面形状（図３）に形成し、斜面形状（図１）に比べて外光からの入光面積を大きくする。また、前記表示板２１と当接する下面２２ｂを粗面化し光放射面を形成する。更に、下面２２ｂを除く全ての表面を鏡面２３にし光反射面を形成する。また更に、見返し面２２ｄ、２２ｅ及び下面２２ｂを除く外形鏡面２２ｃに反射膜２４を形成する。
【００１８】
前記見返しリング２２は透光性の有る樹脂で射出成形したプラ成形品である。また、透光性の見返しリング２２の下面２２ｂは、ホーニング等を施して粗面に仕上げてその下面側に前述した表示板２１の高透過率を有する接触部２１ａを介してソーラセル５の表面に見返しリング２２の見返面２２ｄ、２２ｅより透過した光を効率良く放射するものである。
【００１９】
また、見返しリング２２の下面２２ｂ以外の全ての面、即ち、前記見返し面２２ｄ、２２ｅと上面及び外側面２２ｃを鏡面２３にする。鏡面化するには、例えば、見返しリング２２を射出成形する際に、鏡面に相当する金型面を鏡面仕上げすることにより容易に鏡面仕上げすることができる。
【００２０】
また、見返しリング２２の上面及び外側面２２ｃの表面にアルミ蒸着等を施して反射膜２４を形成する。
【００２１】
前記見返しリング及び表示板を上記した構成することにより、見返しリング２２の見返し面２２ｄ、２２ｅは表示板２１の外周部に位置するすので面積的には大きな面積が得られる。また、見返し面２２ｄ（凸面）、２２ｅ（凹面）形状にすることにより入光面積が大きくなり採光量を多くすることができる。また、下面２２ｂを粗面化することによりそこから光が屈折して放射する光が下面側に配設した表示板の高透過率を有する接触部２１ａを介してソーラセル５の表面に見返しリング２２の見返し面２２ｄ、２２ｅより透過した光を効率良く放射するものである。従って、ソーラセル５に入射する外光は、図１に示す様に、大きな面積を有する見返しリング２２の見返し面２２ａを介してソーラセル５に入る光（矢印Ａ）と、直接表示板２１の表面からソーラセル５に入る光（矢印Ｂ）とが合成されて光により十分な発電量を確保することができる。
【００２２】
前述した様に表示板２１は、見返しリング２２と当接する接触部２１ａを除く部分に透光率及びソーラセルの発電に支障のない範囲でカラー着色、模様、マーク、指標等の装飾を施して表示板の装飾性を高めたりデザインバリエーションを増すことができる。このことは、ソーラセル独特の濃紫色の色調や分割線を見え難くすることで有効である。見た目に違和感を感じさせない色調に仕立てるものである。
【００２３】
また、見返しリング２２の下面２２ｂ以外の全ての面を鏡面化することにより見返しリング２２に入光し、リング内を進む光で一定の入射角をもって外境界面に放射する光は境界面で反射されて再びリング内を進む。この分境界の外部に放射する光が少なくなる。更に、見返し面２２ｄ（図２）、２２ｅ（図３）及び下面２２ｂ以外に反射膜２４を形成すると、この面からの外部に放射する光を完全になくすことができるのでリング内に入射した多くの光は粗面化した下面２２ｂから導光板としての機能を持つ表示板２１を介してソーラセル５の受光面に放射される。
【００２４】
【発明の効果】
以上述べた様に、見返しリングを透光性のリングで、採光面は外光を十分取り入れ、リング形状を構成する各表面は入射光を効率良く透光性の表示板との接触面からソーラセルに放射し、接触部を除く表示板と共同して十分な発電量を確保することができる。
【００２５】
また、表示板は、見返しリングと当接する接触部を除く部分に透光率及びソーラセルの発電に支障のない範囲でカラー着色、模様、マーク、指標等の装飾を施して表示板の装飾性を高めたりデザインバリエーションを増すことができると同時に、ソーラセル独特の濃紫色の色調や分割線を見え難くすることで有効であり、見た目に違和感を少なくしている。十分満足する発電量を確保し、ソーラセルの濃紫色が目立たない時計外観イメージを著しく向上させた太陽電池式時計を提供することが可能である。
【００２６】
また、本発明の主要部品である見返しリングは射出成形によるプラ成形品であり加工も容易であり安価に製造することが可能である。
【図面の簡単な説明】
【図１】本発明の実施の形態に係わる太陽電池式時計の断面図である。
【図２】図１の見返しリングの断面図である。
【図３】本発明の他の見返しリングの断面図である。
【図４】従来の太陽電池式時計の断面図である。
【符号の説明】
１  ケース
２  カバーカラス
５  ソーラセル
２０  太陽電池式時計
２１  表示板
２１ａ  接触部
２２  見返しリング
２２ａ、２２ｄ、２２ｅ  見返し面（採光面）
２２ｂ  下面（粗面）
２２ｃ  上面、外側面
２３  鏡面
２４  反射膜
【図１】
0003691334.tif 000002
【図２】
0003691334.tif 000003
【図３】
0003691334.tif 000004
【図４】
0003691334.tif 000005